(57)【特許請求の範囲】
【請求項１】
ベンドアップレスタイプの偏向ヨークであって、水平および垂直コイルのベンドアップを管軸方向に伸ばした形状に使用する小カバーを備え、前記小カバーの中央筒部を絶縁枠の小径側の筒部に嵌め合わせ、前記小カバーの中央筒部の内側に形成した第１の突起を、前記絶縁枠の小径側の筒部に形成したＬ字状の第１の係合溝に前記第１の突起を押し込みそして回転させて係合させるとともに、前記小カバーの中央筒部の内側に形成したバネ片より形成される第２の突起を、前記絶縁枠の小径側の筒部に形成した直線状の第２の係合溝に前記第２の突起を回転させて係合させ、前記絶縁枠に前記小カバーを組み込んだことを特徴とする偏向ヨーク。
【請求項２】
小カバーの絶縁枠の小径端側にＶＭコイル構成体を重ね、前記小カバーと前記ＶＭコイル構成体を両者に形成したフックと係合孔の係合により組合わせ、前記ＶＭコイル構成体により前記小カバーの取り付け部を補強したことを特徴とする請求項１記載の偏向ヨーク。
【発明の詳細な説明】
【０００１】
【発明の属する技術分野】
本発明は、テレビジョン受像機などの陰極線管（以下ＣＲＴと記す）に設置するベンドアップレスタイプの偏向ヨークに関する。
【０００２】
【従来の技術】
偏向ヨークの中には、その絶縁枠には小カバーを取り付ける構成のものが多くなってきている。
【０００３】
以下に従来の偏向ヨークについて説明する。図１２に示すように偏向ヨークは、絶縁枠６（図に現れていない）の内側に配置され水平偏向磁界を発生する水平コイル１と、絶縁枠６の外側に配置され垂直偏向磁界を発生する垂直コイル２と、垂直コイル２の外側に配置されたコア３と、絶縁枠６の上部に取り付けられ補正部品等を設ける小カバー４で構成されている。
【０００４】
前記小カバー４は、図１３、１４に示すようにフランジ部にフック片５ａ、５ｂを有し、このフック片５ａ、５ｂを絶縁枠６の上部に設けた取り付け部材の係合孔９ａ、９ｂに挿入し、かつ、係合させることにより取り付けられる構成となっている。
【０００５】
【発明が解決しようとする課題】
しかしながら、上記のような従来技術をベンドアップレスタイプの偏向ヨークに展開しようとする場合に、絶縁枠は筒状であることから、その上部に小カバーを組み込むことが困難であった。
【０００６】
本発明は前記問題に留意し、小カバーを絶縁枠に容易に組み込み可能なベンドアップレスタイプの偏向ヨークを提供することを目的とする。
【０００７】
【課題を解決するための手段】
前記目的を達成するために本発明は、ベンドアップレスタイプの偏向ヨークにおいて、水平および垂直コイルのベンドアップを管軸方向に伸ばした形状に使用する小カバーに係合用の突起とバネ片よりなる突起を形成し、絶縁枠に係合用のＬ字状の溝と直線状の溝を形成して、小カバーを押し込み、回転させて突起とＬ字状の溝を係合させ、バネ片よりなる突起と直線状の溝を結合させる機能をもつものとしたものである。本発明は上記構造により、ベンドアップレスタイプの偏向ヨークにおいて、容易に小カバーと絶縁枠の組み込み可能とするものである。
【０００８】
【発明の実施の形態】
本発明の請求項１に記載の発明は、ベンドアップレスタイプの偏向ヨークであって、水平および垂直コイルのベンドアップを管軸方向に伸ばした形状に使用する小カバーを備え、前記小カバーの中央筒部を絶縁枠の小径側の筒部に嵌め合わせ、前記小カバーの中央筒部の内側に形成した第１の突起を、前記絶縁枠の小径側の筒部に形成したＬ字状の第１の係合溝に前記第１の突起を押し込みそして回転させて係合させるとともに、前記小カバーの中央筒部の内側に形成したバネ片より形成される第２の突起を、前記絶縁枠の小径側の筒部に形成した直線状の第２の係合溝に前記第２の突起を回転させて係合させ、前記絶縁枠に前記小カバーを組み込んだ偏向ヨークであり、ベンドアップレスタイプの偏向ヨークにおける小カバーと絶縁枠の組み込みを容易に、かつ、確実にできるという作用を有する。
【０００９】
本発明の請求項２に記載の発明は、請求項１に記載の偏向ヨークにおいて、小カバーの絶縁枠の小径端側にＶＭコイル構成体を重ね、前記小カバーと前記ＶＭコイル構成体を両者に形成したフックと係合孔の係合により組合わせ、前記ＶＭコイル構成体により前記小カバーの取り付け部を補強した構成としたものであり、ＶＭコイル構成体の組み込みを容易にするとともに、組込んだＶＭコイル構成体により小カバーの絶縁枠筒部への嵌め込み取り付け部を補強して小カバーと絶縁枠の係合を確実にするという作用を有する。
【００１０】
以下本発明の実施の形態を図面を参照して説明する。
（実施の形態１）
図１は本発明の実施の形態１の偏向ヨークの側面図、図２は同偏向ヨークにおける小カバーの側面図、図３は同小カバーの要部の上面図、図４は同偏向ヨークにおける絶縁枠の側面図、図５は同絶縁枠と小カバーの組み込み説明図、図６（ａ）は図５のＡ−Ａ′部断面図（小カバーの回転前状態）、（ｂ）は図５のＡ−Ａ′部断面図（小カバーの回転後状態）、図７は同絶縁枠と小カバーを組み込んだ状態の側面図である。なお、前記従来例と同じ構成部には同一符号を付与する。
【００１１】
図１に示すように、このベンドアップレスタイプの偏向ヨークは絶縁枠６と、この絶縁枠６の内側に配置された水平コイル１と、絶縁枠６の外側に配置された垂直コイル２（図に現れない）と、垂直コイル２の外側に配置されたファンネル形状のコア３と、絶縁枠６の上部に設けられ水平および垂直コイルのベンドアップを管軸方向に伸ばした形状に使用するための小カバー４と、その上部に設けたＶＭコイル構成体１０から構成されている。
【００１２】
小カバー４は図２および図３に示すように、中央筒部４ａの上部の内側に突起７ａ、７ｂ、７ｃ、７ｄを有している。そして突起７ａ、７ｂ、７ｃ、７ｄは対称の位置にあり、かつ、突起７ａ、７ｂの配置は１８０°内にしている。また、突起７ａ、７ｂ、７ｃ、７ｄのうち、７ａ、７ｂはバネ片より形成されている。
【００１３】
絶縁枠６は、図４に示すように上部に小カバー４の中央筒部４ａが嵌まり合う筒部６ａを有し、この筒部６ａに突起７ａ、７ｂ、７ｃ、７ｄに対応する係合溝８ａ、８ｂ、８ｃ、８ｄを形成している（８ａ、８ｃは図に現れない）。そしてこれらの係合溝８ａ、８ｂ、８ｃ、８ｄのうち、８ｃ、８ｄはＬ字状で、すなわち、その下端は横方向に延び、小カバー４の突起７ｃ、７ｄの配置角度より左右どちらかに回転した位置にある。また、他の係合溝８ａ、８ｂは直線状の溝とし、突起７ａ、７ｂの垂線より横方向にずらした位置としている。なお、の係合溝８ｃ、８ｄには、筒部上端より浅いガイド溝８′を連絡している。
【００１４】
上記の構成において、その組み立ては図５の状態から、まず小カバー４の突起７ｃ、７ｄを絶縁枠６のガイド溝８′より係合溝８ｃ、８ｄの入口に嵌め込む。また、バネ片よりなる突起７ａ、７ｂを筒部６ａの内側に位置させるとともに押し曲げている。
【００１５】
つぎに、突起７ｃ、７ｄが絶縁枠６の係合溝８ｃ、８ｄの下端に当たるまで小カバー４を押し込む。図６（ａ）はその状態の図５のＡ−Ａ′断面を示している。その後、Ｌ字状の係合溝８ｃ、８ｄの下部が横方向に伸びた方向に小カバー４を回転させ、その回転が止まるまで回すと、小カバー４の突起７ｃ、７ｄが絶縁枠６の係合溝８ｃ、８ｄの横方向に伸びた部分に嵌まり合い、また、バネ片よりなる突起７ａ、７ｂが横すべりして他の係合溝８ａ、８ｂにバネの力で嵌まり合い、小カバー４が上方に抜けでない状態に組み込まれる。図６（ｂ）はその状態の図５のＡ−Ａ′断面を示している。また、図７は小カバー４が絶縁枠６に組み込まれた状態の外観を示している。
【００１６】
この組み立て構成によれば、小カバー４を絶縁枠６に対し押し込みと回転で組み立てるので、その作業が容易であり、しかも、小カバー４が抜け出ることがなく、確実な固定ができる。
【００１７】
（実施の形態２）
本実施の形態２は、実施の形態１の構成に、図１に示すようにＶＭコイル構成体１０を小カバー４の上に組み合わせたことに特徴を有する。
【００１８】
具体的には、図８、図９に示すようにＶＭコイル構成体１０のベース板１０ｃに係合孔１０ａ、１０ｂを形成し、小カバー４の上面には図１０、図１１に示すように係合孔１０ａ、１０ｂに対応するフック７ｅ、７ｆを突設し、小カバー４上にＶＭコイル構成体１０のベース板１０ｃを重ね、ＶＭコイル構成体１０のベース板１０ｃの係合孔１０ａ、１０ｂに小カバー４のフック７ｅ、７ｆを挿入し、かつ、係合させることにより、小カバー４にＶＭコイル構成体１０を組み立てできる。
【００１９】
この組み立て構成によれば、ＶＭコイル構成体１０の組み込みが容易であるとともに、ＶＭコイル構成体１０における絶縁枠６の筒部６ａに嵌合する内縁部が小カバー４における絶縁枠６の筒部６ａに嵌合する内縁部を押さえ、したがって小カバー４の絶縁枠６の筒部６ａへの固定部が補強され、突起７ａ、７ｂ、７ｃ、７ｄと嵌合溝８ａ、８ｂ、８ｃ、８ｄの嵌合と相まって、その固定を確実なものにすることができる。
【００２０】
【発明の効果】
以上の説明より明らかなように、本発明はベンドアップレスタイプの偏向ヨークにおいて、絶縁枠と小カバーの組み込みを容易に、かつ、確実なものとすることができ、また、ＶＭコイル構成体を組み込んで小カバーの固定を補強し、組み込み結合をより確実なものとすることができる。
【図面の簡単な説明】
【図１】本発明の実施の形態１の偏向ヨークの側面図
【図２】同偏向ヨークにおける小カバーの側面図
【図３】同小カバーの要部の上面図
【図４】同偏向ヨークにおける絶縁枠の側面図
【図５】同絶縁枠と小カバーの組み込み説明図
【図６】（ａ）は図５のＡ−Ａ′部断面図（小カバーの回転前状態）（ｂ）は図５のＡ−Ａ′部断面図（小カバーの回転後状態）
【図７】同絶縁枠と小カバーを組み込んだ状態の側面図
【図８】本発明の実施の形態２の偏向ヨークにおけるＶＭコイル構成体の平面図
【図９】同ＶＭコイル構成体の側面図
【図１０】同ＶＭコイル構成体を組み込んだ小カバーの平面図
【図１１】同ＶＭコイル構成体を組み込んだ小カバーの側面図
【図１２】従来の偏向ヨークの側面図
【図１３】同偏向ヨークの小カバーと絶縁枠結合体の上面図
【図１４】同偏向ヨークの小カバーと絶縁枠結合体の断側面図
【符号の説明】
１  水平コイル
２  垂直コイル
３  コア
４  小カバー
４ａ  中央筒部
６  絶縁枠
６ａ  筒部
７ａ  突起
７ｂ  突起
７ｃ  突起
７ｄ  突起
７ｅ  フック
７ｆ  フック
８ａ  係合溝
８ｂ  係合溝
８ｃ  係合溝
８ｄ  係合溝
１０  ＶＭコイル構成体
１０ａ  係合孔
１０ｂ  係合孔
１０ｃ  ベース板
【図１】
0003760610.tif 000002
【図２】
0003760610.tif 000003
【図３】
0003760610.tif 000004
【図４】
0003760610.tif 000005
【図５】
0003760610.tif 000006
【図６】
0003760610.tif 000007
【図７】
0003760610.tif 000008
【図８】
0003760610.tif 000009
【図９】
0003760610.tif 000010
【図１０】
0003760610.tif 000011
【図１１】
0003760610.tif 000012
【図１２】
0003760610.tif 000013
【図１３】
0003760610.tif 000014
【図１４】
0003760610.tif 000015